(57)【要約】  マクロセルと小セル間のセル間の干渉を低減させることができ、帯域拡張技術におけるプライマリセルの頻繁な切り替え処理を抑えることができ、基地局での処理負荷の増加や端末の消費電力の増加を抑えることができる移動端末などを提供する技術が開示され、その技術によれば第１の基地局から所定の周波数帯域で送信される信号の所定の制御チャネル領域のタイミングに合わせて第２のセルでの受信品質の測定をさせるための情報を含むメッセージを受信する受信手段６０３と、受信された情報に基づいて第２のセルでの受信品質を測定する測定手段６０５とを備える。
2012132187.tif 000002
【特許請求の範囲】
【請求項１】
移動端末がアクセス可能な範囲である第１のセルが第１の基地局により形成され、前記第１のセル内に前記移動端末がアクセス可能な範囲である第２のセルが第２の基地局により形成され、前記各基地局が複数の周波数帯域を利用して移動端末との間で通信を行う通信システムにおける前記移動端末であって、
前記第１の基地局から所定の周波数帯域で送信される信号の所定の制御チャネル領域のタイミングに合わせて前記第２のセルでの受信品質の測定をするための情報を含むメッセージを受信する受信手段と、
受信された前記情報に基づいて、前記第２のセルでの受信品質を測定する測定手段とを、
備える移動端末。
【請求項２】
前記測定をするための情報は、前記移動端末が属する基地局から送信される請求項１に記載の移動端末。
【請求項３】
前記所定の制御チャネル領域は、前記第１の基地局がクロスキャリアスケジューリングするサブフレームの制御チャネル領域である請求項１又は２に記載の移動端末。
【請求項４】
前記所定の制御チャネル領域は、前記第１の基地局によるＭＢＳＦＮサブフレームの制御チャネル領域である請求項１又は２に記載の移動端末。
【請求項５】
隣接する前記第１の基地局と前記第２の基地局における前記クロスキャリアスケジューリングのパターンが共通するよう構成された請求項３に記載の移動端末。
【請求項６】
前記第１の基地局に接続する移動端末への前記クロスキャリアスケジューリングのパターンが共通となるよう構成された請求項３に記載の移動端末。
【請求項７】
前記クロスキャリアスケジューリングされる前記サブフレームには、広帯域化を可能とする帯域拡張技術が適用されない前記第１の基地局に属する移動端末がスケジューリングされないよう構成された請求項３に記載の移動端末。
【請求項８】
前記クロスキャリアスケジューリング及び／又は前記帯域拡張技術を適用しない前記第１の基地局に属する移動端末に対して、前記移動端末以外の移動端末が前記クロスキャリアスケジューリングしているサブフレームを割り当てないよう構成された請求項７に記載の移動端末。
【請求項９】
前記第１のセルに関する制御情報は、前記所定の制御チャネル領域を含むサブフレームのデータ領域に含めて送信される請求項１に記載の移動端末。
【請求項１０】
前記第１のセルに関する制御情報を前記所定の制御チャネル領域に含めて送信する場合、前記制御情報のリソース量を増加させるよう構成された請求項１に記載の移動端末。
【請求項１１】
移動端末がアクセス可能な範囲である第１のセルが第１の基地局により形成され、前記第１のセル内に前記移動端末がアクセス可能な範囲である第２のセルが第２の基地局により形成され、前記各基地局が複数の周波数帯域を利用して移動端末との間で通信を行う通信システムにおける前記移動端末が属する基地局であって、
前記基地局自身に隣接する基地局からセルに関するセル情報を受信する受信手段と、
受信された前記セル情報に基づいて、所定の周波数帯域で送信する信号の所定の制御チャネル領域のタイミングに合わせて前記第２のセルでの受信品質の測定をさせるための情報を含むメッセージを生成するメッセージ生成手段と、
生成された前記メッセージを前記移動端末に送信する送信手段とを、
備える基地局。
【請求項１２】
前記所定の制御チャネル領域は、前記第１の基地局がクロスキャリアスケジューリングするサブフレームの制御チャネル領域である請求項１１に記載の基地局。
【請求項１３】
前記所定の制御チャネル領域は、前記第１の基地局によるＭＢＳＦＮサブフレームの制御チャネル領域である請求項１１に記載の基地局。
【請求項１４】
隣接する前記第１の基地局と前記第２の基地局における前記クロスキャリアスケジューリングのパターンが共通するよう構成された請求項１２に記載の基地局。
【請求項１５】
前記第１の基地局に接続する移動端末への前記クロスキャリアスケジューリングのパターンが共通となるよう構成された請求項１２又は１４に記載の基地局。
【請求項１６】
前記クロスキャリアスケジューリングされる前記サブフレームには、広帯域化を可能とする帯域拡張技術が適用されない前記第１の基地局に属する移動端末がスケジューリングされないよう構成された請求項１２に記載の基地局。
【請求項１７】
前記クロスキャリアスケジューリング及び／又は前記帯域拡張技術を適用しない前記第１の基地局に属する移動端末に対して、前記移動端末以外の移動端末が前記クロスキャリアスケジューリングしているサブフレームを割り当てないよう構成された請求項１６に記載の基地局。
【請求項１８】
前記第１のセルに関する制御情報は、前記所定の制御チャネル領域を含むサブフレームのデータ領域に含めて送信される請求項１１に記載の基地局。
【請求項１９】
前記第１のセルに関する制御情報を前記所定の制御チャネル領域に含めて送信する場合、前記制御情報のリソース量を増加させるよう構成された請求項１１に記載の基地局。
【請求項２０】
移動端末がアクセス可能な範囲である第１のセルが第１の基地局により形成され、前記第１のセル内に前記移動端末がアクセス可能な範囲である第２のセルが第２の基地局により形成され、前記各基地局が複数の周波数帯域を利用して移動端末との間で通信を行う通信システムにおける前記移動端末のセル受信品質測定方法であって、
前記移動端末が属する基地局が、所定の周波数帯域で送信する信号の所定の制御チャネル領域のタイミングに合わせて前記第２のセルでの受信品質の測定をさせるための情報を含むメッセージを生成し、前記移動端末へ送信するステップと、
前記移動端末が、送信された前記情報を含むメッセージを受信し、受信された前記情報に基づいて前記第２のセルでの受信品質を測定するステップとを、
有するセル受信品質測定方法。
【請求項２１】
移動端末がアクセス可能な範囲である第１のセルが第１の基地局により形成され、前記第１のセル内に前記移動端末がアクセス可能な範囲である第２のセルが第２の基地局により形成され、複数の周波数帯域を利用して前記各基地局との間で通信を行う移動端末がセルでの受信品質を測定するよう構成されたセル受信品質測定システムであって、
前記移動端末が属する基地局が、所定の周波数帯域で送信する信号の所定の制御チャネル領域のタイミングに合わせて前記第２のセルでの受信品質の測定をさせるための情報を含むメッセージを生成し、前記移動端末へ送信し、
前記移動端末が、送信された前記情報を含むメッセージを受信し、受信された前記情報に基づいて前記第２のセルでの受信品質を測定するよう構成されたセル受信品質測定システム。
【発明の詳細な説明】
【技術分野】
【０００１】
本発明は、マクロセル内に小セルを配置するネットワークにおける干渉を低減する移動端末、基地局、セル受信品質測定方法及びセル受信品質測定システムに関する。
【背景技術】
【０００２】
３GPPではLTEの進化版であるLTE-advancedが検討されており、従来のマクロセル(macro cell)を中心としたセル配置に加えて、大容量のトラヒックが集中して発生する屋内施設などのローカルエリアを効率的にカバーする無線インターフェースの検討が行われている。これに伴い、マクロセル内にピコセル(pico cell)、フェムトセル(femto cell)などの低送信電力のセル（小セル）を配置するヘテロジニアスネットワーク（Heterogeneous Network：HetNet）が検討されている。またHetNet環境における周波数利用効率の観点からマクロセルと低送信電力セルが同一周波数であることが望まれる。しかし、この場合にはマクロセルと小セル間のセル間干渉が問題になる。【０００３】
小セルがピコセルの場合はマクロ基地局からの負荷分散の目的でCell Range Expansion(CRE)という技術を適用して、ピコセルのカバレッジ外のマクロ端末（MUE）をピコセルに接続させる方法が検討されている。図１１に示すように、CREによりピコセルのカバレッジ外でピコセルに接続する端末（PUE）はマクロセルからの大きな干渉を受ける。特に、PUEへの制御チャネルに対するマクロセルの制御チャネルからの干渉が問題となっており（図１２を参照）、様々な干渉制御方法が検討されている。その一つとしてマクロセルから送信される特定のサブフレームにブランク領域（Almost blank subframe:ABS）を設けることでピコセルへの干渉を低減する方法がある（図１３を参照）。【０００４】
また、LTEと互換性のある周波数帯域（Component carrier）を複数束ねて広帯域化を実現する帯域拡張技術（Carrier aggregation（CA）：キャリアアグリゲーション）を使用するシステムにおいては、クロスキャリアスケジューリング（Cross carrier scheduling）を適用することでマクロセルと小セル間の干渉を低減することが考えられている（非特許文献１を参照）。クロスキャリアスケジューリングとは、ある周波数帯域の主セル（プライマリセル：PCell）と別の周波数帯域の副セル（セカンダリセル：SCell）を束ねて通信する際に、SCellの制御情報をPCellの制御チャネルから通知することでSCellの制御チャネルを不要とする技術である。このクロスキャリアスケジューリングを適用するサブフレームパターンはUE個別に設定される。【０００５】
このクロスキャリアスケジューリングを適用することにより、マクロセルの制御チャネルが不要になるマクロセルのSCellの周波数（セカンダリ周波数）ではマクロセルからピコセルの制御チャネルへの干渉が軽減できる。一方、ピコセルの制御チャネルが不要になるピコセルのセカンダリ周波数ではマクロセルの制御チャネルからの干渉を気にする必要がない。したがって、帯域拡張技術を適用しているシステムにおいてマクロセルと小セルの干渉を低減するためには、図１４に示すようにマクロセルとピコセルのPCellを周波数が異なるように配置することが望ましい。つまり、マクロセルのPCellに対してはピコセルのSCellを配置し、マクロセルのSCellに対してはピコセルのPCellを配置することになる。
【先行技術文献】
【非特許文献】
【０００６】
【非特許文献１】http://www.3gpp.org/ftp/tsg_ran/wg1_rl1/TSGR1_60/Docs/R1-101106.zip
【０００７】
クロスキャリアスケジューリングでも軽減できない干渉は、マクロセルの特定のサブフレームに先に説明したABSを用いて干渉を低減するが、図１４のf1のピコセルに接続し、帯域拡張技術（CA）を適用しないＵＥ（non-CA PUE）に対しては、ピコセルはf1において制御チャネルを送信するため、全サブフレームで制御チャネルを送信するマクロセルの制御チャネルと干渉する（図１５を参照）。【０００８】
干渉制御の目的で上述するABSが導入されたことに伴い、ABSと通常のサブフレームで受信品質が異なるため、受信品質測定するタイミングをサブフレーム単位で限定する受信品質測定タイミングの制限技術(measurement restriction)が検討されている。例えば、CREにより拡張されたピコセルカバレッジエリア（以降、CREエリアと呼ぶ）にいるマクロ端末（MUE）は隣接セルのピコセルを測定する際にはマクロセルからの干渉がないABSのタイミングで受信品質測定する。これによりマクロセルよりピコセルの受信品質が良くなり、ピコセルにハンドオーバしやすくなることでマクロセルからピコセルへ負荷分散ができる。【０００９】
一方のピコ端末（PUE）は自セルであるピコセル測定時には同様にABSのタイミングで測定することでピコセルへの接続を維持することができる。なお、受信品質の測定は基地局から送信される信号の中でサブフレーム内にまばらに配置された参照信号（Cell reference signal:CRS）などを用いて測定する。ＵＥが受信品質測定タイミングの制限をするためには測定するサブフレームパターンを知る必要がある。パターン情報は基地局からUE個別に通知される。
【発明の概要】
【００１０】
本発明は、上記の問題点に鑑み、マクロセルと小セル間のセル間の干渉を低減させることができ、PCellの頻繁な切り替え処理を抑えることができ、基地局での処理負荷の増加や端末の消費電力の増加を抑えることができる移動端末、基地局、セル受信品質測定方法及びセル受信品質測定システムを提供することを目的とする。
【００１１】
上記目的を達成するために、本発明によれば、移動端末がアクセス可能な範囲である第１のセルが第１の基地局により形成され、前記第１のセル内に前記移動端末がアクセス可能な範囲である第２のセルが第２の基地局により形成され、前記各基地局が複数の周波数帯域を利用して移動端末との間で通信を行う通信システムにおける前記移動端末であって、前記第１の基地局から所定の周波数帯域で送信される信号の所定の制御チャネル領域のタイミングに合わせて前記第２のセルでの受信品質の測定をするための情報を含むメッセージを受信する受信手段と、受信された前記情報に基づいて、前記第２のセルでの受信品質を測定する測定手段とを備える移動端末が提供される。これにより、マクロセルと小セル間のセル間の干渉を低減させることができる。なお、第２のセルでの受信品質の測定をするための情報は、後述する測定制限セルリストやパターンの情報などである。
【００１２】
また、本発明によれば、移動端末がアクセス可能な範囲である第１のセルが第１の基地局により形成され、前記第１のセル内に前記移動端末がアクセス可能な範囲である第２のセルが第２の基地局により形成され、前記各基地局が複数の周波数帯域を利用して移動端末との間で通信を行う通信システムにおける前記移動端末が属する基地局であって、前記基地局自身に隣接する基地局からセルに関するセル情報を受信する受信手段と、受信された前記セル情報に基づいて、所定の周波数帯域で送信する信号の所定の制御チャネル領域のタイミングに合わせて前記第２のセルでの受信品質の測定をさせるための情報を含むメッセージを生成するメッセージ生成手段と、生成された前記メッセージを前記移動端末に送信する送信手段とを備える基地局が提供される。これにより、マクロセルと小セル間のセル間の干渉を低減させることができる。
【００１３】
また、本発明によれば、移動端末がアクセス可能な範囲である第１のセルが第１の基地局により形成され、前記第１のセル内に前記移動端末がアクセス可能な範囲である第２のセルが第２の基地局により形成され、前記各基地局が複数の周波数帯域を利用して移動端末との間で通信を行う通信システムにおける前記移動端末のセル受信品質測定方法であって、前記移動端末が属する基地局が、所定の周波数帯域で送信する信号の所定の制御チャネル領域のタイミングに合わせて前記第２のセルでの受信品質の測定をさせるための情報を含むメッセージを生成し、前記移動端末へ送信するステップと、前記移動端末が、送信された前記情報を含むメッセージを受信し、受信された前記情報に基づいて前記第２のセルでの受信品質を測定するステップとを有するセル受信品質測定方法が提供される。これにより、マクロセルと小セル間のセル間の干渉を低減させることができる。
【００１４】
また、本発明によれば、移動端末がアクセス可能な範囲である第１のセルが第１の基地局により形成され、前記第１のセル内に前記移動端末がアクセス可能な範囲である第２のセルが第２の基地局により形成され、複数の周波数帯域を利用して前記各基地局との間で通信を行う移動端末がセルでの受信品質を測定するよう構成されたセル受信品質測定システムであって、前記移動端末が属する基地局が、所定の周波数帯域で送信する信号の所定の制御チャネル領域のタイミングに合わせて前記第２のセルでの受信品質の測定をさせるための情報を含むメッセージを生成し、前記移動端末へ送信し、前記移動端末が、送信された前記情報を含むメッセージを受信し、受信された前記情報に基づいて前記第２のセルでの受信品質を測定するよう構成されたセル受信品質測定システムが提供される。これにより、マクロセルと小セル間のセル間の干渉を低減させることができる。
【００１５】
本発明の移動端末、基地局、セル受信品質測定方法及びセル受信品質測定システムは、マクロセルと小セル間のセル間の干渉を低減させることができるため、PCellの頻繁な切り替え処理を抑えることができ、基地局での処理負荷の増加や端末の消費電力の増加を抑えることができる。
【図面の簡単な説明】
【００１６】
【図１】本発明の第１の実施の形態におけるＡＢＳを設けることで干渉が軽減できることを説明するための図
【図２】本発明の第１の実施の形態における帯域拡張技術適用システムにおけるセル配置の一例を示す図
【図３】本発明の第１の実施の形態における帯域拡張技術適用システムにおける受信品質測定制限を説明するための図
【図４】本発明の第１の実施の形態におけるサービング基地局から通知される測定制限セルリスト及び測定タイミングの一例を示す図
【図５Ａ】本発明の第１の実施の形態に係る基地局（サービング基地局）の構成の一例を示す構成図
【図５Ｂ】本発明の第１の実施の形態に係る基地局（サービング基地局）の他の構成の一例を示す構成図
【図６】本発明の第１の実施の形態に係るUEの構成の一例を示す構成図
【図７】本発明の第１の実施の形態における処理フローの一例を示すフローチャート
【図８】本発明の第１の実施の形態におけるサービング基地局がピコ基地局の場合の処理フローの一例を示すフローチャート
【図９】本発明の第１の実施の形態におけるサービング基地局がマクロ基地局の場合の処理フローの一例を示すフローチャート
【図１０】本発明の第２の実施の形態における制御チャネル（R-PDCCH）を用いた制御チャネルの送信について説明するための図
【図１１】従来のCell Range expansionによる干渉を説明するための図
【図１２】従来の制御チャネルの干渉について説明するための図
【図１３】従来のABSによる干渉低減について説明するための図
【図１４】従来のクロスキャリアスケジューリングを用いた際の干渉の低減を説明するための図
【図１５】従来のキャリアアグリゲーションしないピコ端末向けの制御チャネルへの干渉について説明するための図
【発明を実施するための形態】
【００１７】
＜第１の実施の形態＞
上述した図１４のf1のピコセルに接続し、帯域拡張技術（CA）を適用しないＵＥ（non-CA PUE）に対しては、ピコセルはf1において制御チャネルを送信するため、全サブフレームで制御チャネルを送信するマクロセルの制御チャネルと干渉する（図１５を参照）。この問題を解決するために、ABSはマクロセルのPCellのみで設定されると考えられる（図１を参照）。
【００１８】
ここで、帯域拡張技術を適用したＵＥにおいても、マクロセルがABSを適用した場合には同様に受信品質測定タイミングの制限を行う。例えば、CREエリア（図２のポイントA）で帯域拡張技術を適用したMUEはマクロセルのプライマリ周波数（f1）において、隣接セルのピコセルを測定する際にはABSのタイミングで測定する。また、マクロセルのセカンダリ周波数（f2）でピコセルを測定する場合は、ABSがないので受信品質測定タイミングの制限は行わない。したがって、マクロセルからの干渉を軽減したf1のピコセルの受信品質はf2のピコセルの受信品質よりも良い。帯域拡張技術を適用したUEは複数の周波数帯域のセルの中で、例えば受信品質の高いセルをPCellとし、それ以外のセルをSCellとする。そのため、MUEがCREによりピコセルにハンドオーバした後はf1のピコセルがピコセルのPCellとなる。
【００１９】
また、ポイントAで帯域拡張技術を適用したPUEはf1において、自セルのピコセルを測定する際にはABSのタイミングで測定する。また、f2では受信品質測定タイミングの制限は行わない。したがって、CREエリアのMUEの場合と同様にf1のピコセルがピコセルのPCellとなる。また、ピコ基地局近傍（図２のポイントB）で帯域拡張技術を適用したPUEは、CREエリアのPUEと同様に自セル測定時に、f1においてはABSのタイミングで測定し、f2では受信品質測定タイミングの制限は行わない。この際、ポイントBはマクロセルからの干渉が小さいため、受信品質測定タイミングの制限の有無は関係なくなり、ネットワークがf2をピコセルのPCellに設定する場合がある。
【００２０】
帯域拡張技術を適用したPUEがCREエリア（ポイントA）からピコ基地局近傍（ポイントB）に移動した場合、同一のピコ基地局への接続に対して、上述の受信品質の結果からハンドオーバ処理に相当するPCellを途中で切り替える処理が必要になる。このPCellの切り替え処理により、基地局での処理負荷の増加や端末の消費電力の増加につながる。また、ポイントAで帯域拡張技術を適用したPUEはf1がピコセルのPCellになるため、ピコセルのPCellの周波数（プライマリ周波数）がマクロセルのプライマリ周波数と同一になり、図１４のようなクロスキャリアスケジューリングによる干渉制御が機能しなくなる。
【００２１】
これに対して、以下に述べる実施の形態でのポイントは、マクロセルのブランク領域（ABS）がないセカンダリ周波数(f2)においても、マクロセルから送信されないブランク領域を利用してピコセルの受信品質を測定することで、マクロセルのプライマリ周波数(f1)と同じ周波数であるピコセルの周波数f1の受信品質よりもセカンダリ周波数f2の受信品質を良くすることである。これにより、PCell切り替え処理が頻繁に発生することを抑え、基地局での処理負荷の増加や端末の消費電力の増加を抑えることができる。
【００２２】
具体的には、まずサービング基地局が、隣接セルから取得する情報により受信品質測定タイミングを制限するセルリスト（後述する図４を参照）を作成する。このとき、従来のABSのタイミングで測定するセルリストと、図３に示すようにクロスキャリアスケジューリングにより生成されるマクロセルのSCellで生成される制御チャネル部分のブランク領域（以下、almost blank PDCCH（ABP）と呼ぶことにする）のタイミングで測定するセルリストを周波数毎に作成する。すなわち、所定の制御チャネル領域は、第１の基地局（マクロ基地局）がクロスキャリアスケジューリングするサブフレームの制御チャネル領域である。このセルリストはサービング基地局（セル）から測定用設定メッセージ（RRC connection reconfiguration）を使って通知される。すなわち、測定をするための情報は、移動端末(UE)が属する基地局から送信される。
【００２３】
端末は、端末が検出したセルと受信した双方のセルリストを照合し、合致したセルはABS、ABPそれぞれの受信品質測定タイミングにあわせてABS領域での測定、ABP領域での測定を実行する。リストに合致しないセルは通常の受信品質測定を行い、イベント判定（受信品質が上回るかの判定）を行う。イベントがトリガされると、受信品質測定メッセージ（measurement report）をサービング基地局に送信する。受信品質測定タイミングを制限するパターンはマクロセルのクロスキャリアスケジューリングを行うサブフレームのパターンから生成される。なお、マクロセルが制御チャネル領域の一部領域のみ使用されるMBSFN subframeを適用した場合もABPと同様に受信品質測定タイミングをMBSFN subframeのタイミングに制限して測定してもよい。すなわち、所定の制御チャネル領域は、第１の基地局（マクロ基地局）によるＭＢＳＦＮサブフレームの制御チャネル領域である。
【００２４】
帯域拡張技術を適用しているMUEは自セルのマクロセルのクロスキャリアスケジューリング情報から測定するパターンが分かるため、隣接のピコセルの受信品質を測定する際にはABSによる受信品質測定タイミングの制限のように測定タイミング制限用にパターンをUE個別に通知する必要がない。さらにマクロセルとピコセルのクロスキャリアスケジューリングのサブフレームタイミングを共通にすることで、帯域拡張技術を適用しているPUEは自セルのピコセルのクロスキャリアスケジューリングのサブフレームタイミングから制限した受信品質測定タイミングを知ることができるので、UEに通知する必要がない。すなわち、隣接する第１の基地局（マクロ基地局）と第２の基地局（ピコ基地局）におけるクロスキャリアスケジューリングのパターンが共通するよう構成される。なお、クロスキャリアスケジューリングしていないUEに対して、あるいは受信品質測定タイミングを制限するサブフレームとクロスキャリアスケジューリングのパターンが異なる場合はUE個別に測定パターンを通知する。
【００２５】
また、以下の設定をすることで、ピコセルの受信品質測定タイミング制限時の受信品質測定期間におけるマクロセルからの干渉を更に軽減できる。
（１）従来は、UE個別に設定されるクロスキャリアスケジューリングのサブフレームパターンに関して、同一マクロセルに接続する帯域拡張技術を適用したMUEへのクロスキャリアスケジューリングのサブフレームタイミングを共通にする。すなわち、第１の基地局（マクロ基地局）に接続する移動端末へのクロスキャリアスケジューリングのパターンが共通となるよう構成される。
（２）マクロセルが帯域拡張技術を適用するMUEに対して適用するクロスキャリアスケジューリングのサブフレームタイミングでは、帯域拡張技術を適用しないMUEは割り当てない。すなわち、クロスキャリアスケジューリングされるサブフレームには、広帯域化を可能とする帯域拡張技術が適用されない第１の基地局に属する移動端末がスケジューリングされないよう構成される。
【００２６】
本実施の形態により、CREエリアにおいてＵＥはマクロセルからの干渉が軽減されてピコセルの受信品質が測定できるため、マクロセルのPCellのABSのタイミングで測定した受信品質と公平に比較でき、ピコ基地局近傍のPUEと同じくマクロセルのセカンダリ周波数（f2）と同じ周波数であるピコセルの周波数（f2）をピコセルのPCellとすることができる。そのため、従来技術のように帯域拡張技術を適用したPUEがCREエリアとピコセルカバレッジの境界付近でPCellの変更をするのを防ぐことができる。さらに、図１４に示すように、マクロセルとピコセルのPCellを周波数が異なるように配置することが可能になり、クロスキャリアスケジューリングによる干渉制御が正しく機能する。図４にサービング基地局から通知される測定制限セルリスト及び測定タイミングの一例を示す。図４に示す一例において、測定セルリストは、ABS用セルIDリストとABP用セルIDリストを含む。ABS用セルIDリストには、周波数f1（マクロのプライマリ周波数）においてABSパターンに基づく特定のサブフレームに限定して受信品質測定するセルのセルIDのリストが含まれる。また、ABP用セルIDリストには、周波数f2〜fn(マクロのセカンダリ周波数)においてABPパターンに基づく特定のサブフレームの制御チャネルのタイミングに限定して受信品質測定するセルのセルIDのリストが含まれる。また、測定タイミングは、ABS及びABPとして特定のサブフレームまたは制御チャネルに限定して受信品質測定するサブフレームを、サブフレーム毎に測定要否をビット（０ or １）で表したビットシーケンスで指示する例を図４において示している。
【００２７】
次に、本実施の形態に係る基地局の構成の一例を図５Ａ、図５Ｂに、UEの構成の一例を図６に示す。図５Ａは基地局がABPパターンを通知しない場合の構成図である。図５Ｂは基地局がABPパターンを通知する場合の構成図である。図５Ａに示すように、基地局は、UE通信IF５０１ａ、制御部５０２ａから構成されている。また、制御部５０２ａは、さらに測定用設定メッセージ送信部５０３ａ、受信品質測定メッセージ受信部５０４ａ、測定用パラメータ設定部５０５ａ、測定制限セルリスト生成部５０６ａから構成されている。
【００２８】
UE通信IF５０１ａは、UEとの通信を行う際に用いられるインターフェースである。測定用設定メッセージ送信部５０３ａは、測定用パラメータ設定部５０５ａで生成されたABSを適用するサブフレームパターンに基づいて生成される受信品質測定タイミングをUE通信IF５０１ａを介してUEに送信したり、測定制限セルリスト生成部５０６ａによって生成されたABSのタイミングで受信品質測定制限をするセルリストや、ABPのタイミングで受信品質測定制限をするセルリストをUE通信IF５０１ａを介してUEに送信したりするものである。受信品質測定メッセージ受信部５０４ａは、UEによって測定された受信品質の情報を有するメッセージを受信するものである。測定用パラメータ設定部５０５ａは、上述するように、ABSパターンを生成するなどするものである。測定制限セルリスト生成部５０６ａは、上述するように、ABS、ABPのタイミングで受信品質測定制限をするセルリストを生成するものである。
【００２９】
なお、図５Ｂに示す基地局は、測定用パラメータ設定部５０５ｂのみが図５Ａに示す基地局の測定用パラメータ設定部５０５ａと異なり、他の構成要素については基本的に同一である。測定用パラメータ設定部５０５ｂは、ABSを適用するサブフレームパターン以外にABPを適用するサブフレームパターンに基づいて生成される受信品質測定タイミングの生成も行うものである。
【００３０】
また、図６ではUEの構成の一例が示されており、UEは、基地局通信IF６０１、制御部６０２から構成されている。制御部６０２は、さらに測定用設定メッセージ受信部６０３、セルリスト確認及び測定タイミング抽出部６０４、受信品質測定部６０５、イベント（Event）判定部６０６、受信品質測定メッセージ生成部６０７、受信品質測定メッセージ送信部６０８から構成されている。
【００３１】
基地局通信IF６０１は、基地局などとの通信を行うために用いられるインターフェースである。測定用設定メッセージ受信部６０３は、基地局から送信される測定用設定メッセージを受信するものである。セルリスト確認及び測定タイミング抽出部６０４は、受信した測定用設定メッセージに基づいて、検出したセルと受信した双方のセルリストを照合したり、ABSやABPを適用するサブフレームパターンに基づいた受信品質測定タイミングを取得するものである。受信品質測定部６０５は、セルリストと合致したセルはABS、ABPそれぞれの受信品質測定タイミングにあわせてABS領域での測定、ABP領域での受信品質の測定を実行する。なお、リストに合致しないセルは通常の受信品質測定を行う。イベント（Event）判定部６０６は、受信品質が所定のものを上回るかの判定を行うものである。受信品質測定メッセージ生成部６０７は、イベントがトリガされると、受信品質測定メッセージを生成するものである。受信品質測定メッセージ送信部６０８は、生成された受信品質測定メッセージ（measurement report）を基地局に基地局通信IF６０１を介して送信するものである。
【００３２】
次に、本実施の形態における処理フローの一例を図７に示す。図７に示すように、基地局は、測定制限セルリストや、ABPやABSパターンに基づく受信品質測定タイミングを示す測定タイミングパターンを生成する（ステップＳ７０１）。なお、この処理フローは測定タイミングパターンを通知する場合のフローであり、測定タイミングパターンを通知しないフローの場合にはステップＳ７０１においてABSのパターンに基づく受信品質測定タイミングのみを生成する。基地局は、測定制限セルリストを含む測定用設定メッセージをUEに送信する（ステップＳ７０２）。UEは、測定用設定メッセージを受信すると、自身が検出したセルがセルリストに合致するか否かを判断し（ステップＳ７０３）、合致する場合には合致するどちらかのセルリスト（ABSのタイミングで測定するセルリストまたはABPのタイミングで測定するセルリスト）に従ってABSまたはABPのタイミングで受信品質測定の制限を実行する（ステップＳ７０４）。一方、合致しない場合には通常の受信品質測定を実行する（ステップＳ７０５）。ステップＳ７０４又はＳ７０５の後、UEはイベント条件を満たすか（受信品質が所定のものを上回るか）否かを判定する（ステップＳ７０６）。イベント条件を満たす場合、UEは受信品質測定メッセージを生成して基地局に送信する（ステップＳ７０７）。
【００３３】
次に、本実施の形態に係る基地局での測定制限セルリスト及び測定タイミングパターンの生成フローの一例を図８、図９に示す。図８はサービング基地局がピコ基地局の場合のフローであり、図９はサービング基地局がマクロ基地局の場合のフローである。図８に示すように、隣接基地局は、ABSパターン、クロスキャリアスケジューリングパターンを含むパターン情報、及び隣接セルIDを含むセル情報をサービング基地局に送信する（ステップＳ８０１）。サービング基地局は、受信した情報に基づいて、隣接するマクロがABSするか否かを判断し（ステップＳ８０２）、ABSする場合には、隣接マクロのプライマリ周波数でABSパターンに基づく測定タイミング及びABSのタイミングで受信品質測定するセルリスト（ピコ基地局のセルリスト）を生成する（ステップＳ８０３）。そして、隣接マクロがクロスキャリアスケジューリングするか否かを判断し（ステップＳ８０４）、クロスキャリアスケジューリングする場合には、隣接マクロのセカンダリ周波数でABPパターンに基づく測定タイミング及びABPのタイミングで受信品質測定するセルリスト（ピコ基地局のセルリスト）を生成する（ステップＳ８０５）。
【００３４】
また、サービング基地局がマクロ基地局の場合には、図９に示すように、隣接基地局は、ABSを適用するセルのセルID、ABPを適用するセルのセルIDを含むセル情報をサービング基地局に送信する（ステップＳ９０１）。サービング基地局は、受信した情報に基づいて、マクロ（サービング基地局）がABSを実行するか否かを判断し（ステップＳ９０２）、ABSを実行する場合には、マクロのプライマリ周波数でABSパターンに基づく測定タイミング及びABSのタイミングで受信品質測定するセルリスト（隣接ピコ基地局のセルリスト）を生成する（ステップＳ９０３）。そして、マクロがクロスキャリアスケジューリングするか否かを判断し（ステップＳ９０４）、クロスキャリアスケジューリングする場合には、マクロのセカンダリ周波数でABPパターンに基づく測定タイミング及びABPのタイミングで受信品質測定するセルリスト（隣接ピコ基地局のセルリスト）を生成する（ステップＳ９０５）。
【００３５】
＜第２の実施の形態＞
本実施の形態のポイントは、第１の実施の形態においてマクロセルのABP領域におけるマクロセルからピコセルへの干渉をより低減することである。具体的にはクロスキャリアスケジューリングをせずに帯域拡張技術を適用するMUEや、マクロセルのABPがある周波数に帯域拡張技術を適用しないMUEがいる場合には、これらのMUEにはマクロセルのABPがあるサブフレームを割り当てない。すなわち、クロスキャリアスケジューリング及び／又は帯域拡張技術を適用しない第１の基地局に属する移動端末に対して、移動端末以外の移動端末がクロスキャリアスケジューリングしているサブフレームを割り当てないよう構成される。つまり、ABPのあるサブフレーム以外のサブフレームの制御チャネルで制御情報を送信することである。
【００３６】
また、MUEへの制御情報を送信するためにABP領域に制御情報を割り当てずに、図１０に示すようにデータ領域に割り当てる制御チャネル（R-PDCCH）を用いて制御情報を送信してもよい。すなわち、第１のセルに関する制御情報は、所定の制御チャネル領域を含むサブフレームのデータ領域に含めて送信される。また、ABP領域で制御情報を送信する場合であっても、ひとつのUEあたりの制御情報のリソース量（アグリゲーションサイズ）を増やすことで、単位リソースあたりのマクロセルの制御チャネルの送信電力を下げ、ピコセルへの干渉を低減してもよい。すなわち、第１のセルに関する制御情報を所定の制御チャネル領域に含めて送信する場合、制御情報のリソース量を増加させるよう構成される。本実施の形態によりマクロセルのABP領域にMUEへの制御チャネルを割り当てない、または制御チャネルを割り当てても、ピコセルに干渉を与える電力では送信しないためにマクロセルからピコセルの制御チャネルに与える干渉をより低減できる。
【００３７】
なお、上記の本発明の各実施の形態の説明で用いた各機能ブロックは、典型的には集積回路であるＬＳＩ（Large Scale Integration）として実現される。これらは個別に１チップ化されてもよいし、一部又はすべてを含むように１チップ化されてもよい。なお、ここでは、ＬＳＩとしたが、集積度の違いにより、ＩＣ（Integrated Circuit）、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適応などが可能性としてあり得る。
【産業上の利用可能性】
【００３８】
本発明の移動端末、基地局、セル受信品質測定方法及びセル受信品質測定システムは、マクロセルと小セル間のセル間の干渉を低減させることができ、PCellの頻繁な切り替え処理を抑えることができ、基地局での処理負荷の増加や端末の消費電力の増加を抑えることができるため、マクロセル内に小セルを配置するネットワークにおける干渉を低減する移動端末、基地局、セル受信品質測定方法及びセル受信品質測定システムなどに有用である。
【図１】
2012132187.tif 000003
【図２】
2012132187.tif 000004
【図３】
2012132187.tif 000005
【図４】
2012132187.tif 000006
【図５Ａ】
2012132187.tif 000007
【図５Ｂ】
2012132187.tif 000008
【図６】
2012132187.tif 000009
【図７】
2012132187.tif 000010
【図８】
2012132187.tif 000011
【図９】
2012132187.tif 000012
【図１０】
2012132187.tif 000013
【図１１】
2012132187.tif 000014
【図１２】
2012132187.tif 000015
【図１３】
2012132187.tif 000016
【図１４】
2012132187.tif 000017
【図１５】
2012132187.tif 000018
【国際調査報告】
2012132187.tif 000019
2012132187.tif 000020